(57)【特許請求の範囲】
【請求項１】
三相高圧開閉器と、変圧器と、２つの低圧遮断器がそれぞれ直列に接続された回路を有する移動用変圧器装置本体を備え、前記移動用変圧器装置本体が車両の荷台に搭載された移動用変圧器装置において、前記三相高圧開閉器と前記変圧器とが接続されるｗ相に単相高圧開閉器を備えたことを特徴とする移動用変圧器装置。
【発明の詳細な説明】
【技術分野】
【０００１】
本発明は、既設の変圧器の交換，修理等の工事にあたり、無停電で工事を行なう場合に使用する移動用変圧器に係り、特に、柱上設置型変圧器の無停電工事に使用する移動用変圧器装置に関するものである。
【背景技術】
【０００２】
近年、コンピュータをはじめとする各種電子機器および家庭内における電子化された高性能な電化製品の普及に伴い、今日社会生活において電気に対する依存度は非常に高いものとなっており、工事停電や故障停電のみならず、一瞬の停電も許されない状況となっている。このような状況の中で、最近では、工事停電を避けるため、例えば、柱上変圧器の取替とか配電線の補修工事に際しては、移動用変圧器装置等を駆使して、需要家に対して無停電で電力供給を行いながら機器の交換や補修作業を可能とした、いわゆる無停電工法が採用されるようになった。
【０００３】
無停電工法に使用する移動変圧器装置としては、高圧側遮断器の投入前に、制御装置を動作状態にして、低圧側ケーブル及び接地ケーブルの欠相及び接地ミスや、高圧側遮断器及び低圧側遮断器の投入状態を検出できることが開示されている。（特許文献１参照）
【０００４】
図４を用いて従来技術について説明する。低圧側配電線に接続される低圧負荷の結線方式に応じて結線方式が選択され、低圧遮断器Ａ８または低圧遮断器Ｂ９が投入される。単相が選択された場合には低圧遮断器Ａ８が投入され、三相が選択された場合には低圧遮断器Ｂ９が投入される。
【０００５】
高圧側配電線と低圧側配電線のそれぞれのケーブルが既設の変圧器（図示せず）に接続され、三相高圧開閉器５が投入される。
【０００６】
監視制御ユニットによって検相が開始される。検相結果が正常であった場合、並行運転良が表示される。検相結果が異常であった場合は並行運転不可が表示され、作業者によって低圧側配電線の変更作業が行われた後に再度検相が実施される。
【０００７】
低圧側配電線に接続される低圧負荷の結線方式に応じて、低圧遮断器Ｃ１０または低圧遮断器Ｄ１１が投入される。単相が選択された場合には低圧遮断器Ｃ１０が投入され、三相が選択された場合には低圧遮断器Ｄ１１が投入される。そして、移動変圧器装置から需要家の設備に電力が供給され、並行運転状態が保たれる。
【０００８】
柱上変圧器の２次が切離され、柱上変圧器の取替作業が行われる。取替作業完了後に柱上変圧器の２次が接続され、低圧遮断器Ｃ１０または低圧遮断器Ｄ１１が開放される。そして、三相高圧開閉器５が開放された後に、既設の変圧器と接続されていた高圧側配電線と低圧側配電線のそれぞれのケーブルの取り外しが行われた後に、低圧遮断器Ａ８または低圧遮断器Ｂ９が開放され作業が完了する。
【先行技術文献】
【特許文献】
【０００９】
【特許文献１】特開２００７−３０６７９５号公報
【発明の概要】
【発明が解決しようとする課題】
【００１０】
取替を行う柱上変圧器の高圧側配電線が単相の場合がある。この場合、従来の移動用変圧器装置では結線されていないケーブル（ｗ相）が存在することになる。しかし、三相高圧開閉器５の投入は三相同時のため、結線されていないケーブルも充電状態となっていた。
【００１１】
そのため、結線されていないケーブルの養生や、結線されていないケーブル自体を三相高圧開閉器５から取り外すといった作業が必要となっていた。このような処置を施さない場合、感電や高圧側配電線の停電事故の恐れがあった。
【００１２】
そして、柱上変圧器の取替作業を安全かつ迅速に行うために、前述したこれらの作業は煩雑であり、時間を要するといった問題があった。
【００１３】
本発明は、上記の課題を解決するためになされたもので、高圧側配電線が単相の場合、結線されていないケーブルの養生や取り外しといった作業を不要とする移動用変圧器装置を提供することを目的とする。
【課題を解決するための手段】
【００１４】
本発明の請求項１に記載の移動用変圧器装置は、三相高圧開閉器と、変圧器と、２つの低圧遮断器がそれぞれ直列に接続された回路を有する移動用変圧器装置本体を備え、前記移動用変圧器装置本体が車両の荷台に搭載された移動用変圧器装置において、前記三相高圧開閉器と前記変圧器とが接続されるｗ相に単相高圧開閉器を備えたことを特徴とする。
【発明の効果】
【００１５】
本発明の移動用変圧器装置によれば、高圧側配電線が単相の場合、結線されていないケーブルの養生や取り外しといった作業を不要とすることができ、柱上変圧器の取替作業を安全かつ迅速に行うことができる。
【図面の簡単な説明】
【００１６】
【図１】図１は本発明の移動用変圧器装置の側面図である。
【図２】図２は本発明の移動用変圧器装置本体の回路図である。
【図３】図３は本発明の移動用変圧器装置の操作フロー図である。
【図４】図４は従来の移動用変圧器装置本体の回路図である。
【発明を実施するための形態】
【００１７】
以下、図面を参照して本発明の実施例について説明する。図１は本発明の移動用変圧器装置１の側面図であり、車両２の荷台３の中央付近に移動用変圧器装置本体４が搭載された状態を示している。移動用変圧器装置本体４には、変圧器，高圧開閉器，低圧遮断器、監視制御ユニット等が収納されている。
【００１８】
図２は本発明の移動用変圧器装置本体の回路図である。回路は高圧側配電線と低圧側配電線との間に設けられている。高圧側配電線に三相高圧開閉器５が設けられており、さらに、ｗ相には単相高圧開閉器６が設けられ、変圧器７に接続されている。
【００１９】
変圧器７の出力側には低圧遮断器Ｂ９が接続されており、この低圧遮断器Ｂ９と並列に低圧遮断器Ａ８が接続されている。そして、低圧遮断器Ｂ９には低圧遮断器Ｄ１１が接続されており、この低圧遮断器Ｄ１１と並列に低圧遮断器Ｃ１０が接続されている。
【００２０】
そして、それぞれ並列に接続された低圧遮断器Ａ８および低圧遮断器Ｂ９と、低圧遮断器Ｃ１０および低圧遮断器Ｄ１１との間には、ＺＣＴ１２とＣＴ１３が接続されている。ＣＴ１３の信号線群Ｃ１、Ｃ２、Ｃ３、Ｃ４は監視制御ユニット内の変換器ユニットに接続されている。
【００２１】
低圧遮断器Ｃ１０および低圧遮断器Ｄ１１の入力側の信号線群ｕ、ｖ、ｗ、ｏと、低圧遮断器Ｃ１０および低圧遮断器Ｄ１１の出力側の信号線群ｕ１、ｖ１、ｗ１、ｏ１も監視制御ユニット内の変換器ユニットに接続されている。
【００２２】
また、監視制御ユニット内には制御ユニットも設けられており、制御ユニットは検相機能、計測機能、制御機能、表示機能を有しており、制御ユニットに接続されたタッチパネルによって制御が行えるように構成されている。
【００２３】
次に、図３の操作フロー図を用いて、操作フローについて説明する。なお、図２の図中にも記載してあるが、図３内の各項目の１重枠は状態および外部作業、二重枠はタッチパネル操作、楕円枠はタッチパネル表示をそれぞれ示している。
【００２４】
最初にタッチパネルによって制御電源が入れられる。そして、低圧側配電線に接続される低圧負荷の結線方式に応じて、結線選択１の結線方式が選択され、低圧遮断器Ａ８または低圧遮断器Ｂ９が投入される。結線選択１で単相が選択された場合には低圧遮断器Ａ８が投入され、結線選択１で三相が選択された場合には低圧遮断器Ｂ９が投入される。
【００２５】
そして、作業者によって高圧側配電線と低圧側配電線のそれぞれのケーブルが既設の柱上変圧器（図示せず）に接続される。その後、三相高圧開閉器５が投入される。投入された後にタッチパネルの表示板には準備完了が表示される。
【００２６】
そして、タッチパネルの操作ガイダンスにより切替作業内容選択が表示される。低圧側配電線に接続される低圧負荷の結線方式が三相の場合には結線選択２で三相が選択され、そして、単相高圧開閉器６が投入される。
【００２７】
そして、検相選択により検相が開始され検相結果が表示される。検相結果が正常であった場合、並行運転良が表示される。検相結果が異常であった場合は並行運転不可が表示され、作業者によって低圧側配電線の変更作業が行われた後に再度検相が実施される。
【００２８】
そして、低圧側配電線に接続される低圧負荷の結線方式に応じて、低圧遮断器Ｃ１０または低圧遮断器Ｄ１１が投入された後に負荷救済中が表示される。低圧遮断器Ｃ１０または低圧遮断器Ｄ１１のどちらが投入されるかは、前述した結線選択２で、３線が選択された場合には低圧遮断器Ｃ１０が投入され、結線選択２で４線が選択された場合には低圧遮断器Ｄ１１が投入される。
【００２９】
そして、移動変圧器装置から需要家に対して無停電で電力供給が行われ、並行運転状態が保たれる。
【００３０】
そして、柱上変圧器の２次が切離され、柱上変圧器の取替作業が行われる。取替作業終了後に柱上変圧器の２次が接続され、低圧遮断器Ｃ１０または低圧遮断器Ｄ１１が開放され、かつ結線選択２で三相が選択されていた場合は単相高圧開閉器６が開放される。
【００３１】
そして、三相高圧開閉器５が開放され、柱上変圧器と接続されていた高圧側配電線と低圧側配電線のそれぞれのケーブルの取り外しが行われた後に、低圧遮断器Ａ８または低圧遮断器Ｂ９が開放され、タッチパネルの制御電源が切られて作業が完了となる。
【符号の説明】
【００３２】
１    移動用変圧器装置
２    車両
３    荷台
４    移動用変圧器装置本体
５    三相高圧開閉器
６    単相高圧開閉器
７    変圧器
８    低圧遮断器Ａ
９    低圧遮断器Ｂ
１０  低圧遮断器Ｃ
１１  低圧遮断器Ｄ
１２  ＺＣＴ
１３  ＣＴ
【図１】
0005662229.tif 000002
【図２】
0005662229.tif 000003
【図３】
0005662229.tif 000004
【図４】
0005662229.tif 000005